(57)【要約】【課題】間仕切りパネルを床スラブ上に固定する際に、施工効率を向上できるパネル取付金具を提供すること。【解決手段】パネル取付金具１は、パネル取付具１０と、床スラブ２００に固定されるパネル支持具２０と、を備え、パネル取付具１０は、間仕切りパネル１００に挿入される棒状体１１と、棒状体１１の中間部分に固定される平面部１２と、を有し、棒状体１１の下端側には、２以上の突起１１０が設けられ、パネル支持具２０は、支持平面部２１と、支持平面部２１の左右端において、互いに平行に下方に延出する固定部２２と、を有し、支持平面部２１は、パネル取付具１０の棒状体１１の外径より大きく、パネル取付具１０の突起１１０を含む外径より小さい寸法の内法を有する開口２１０部が形成され、開口部周辺が弾性変形可能に形成される。【選択図】図１
2014043687.tif 000002
【特許請求の範囲】
【請求項１】
間仕切りパネルを床スラブに固定するためのパネル取付金具であって、
前記間仕切りパネルの下端面に取り付けられるパネル取付具と、前記床スラブに固定され、前記パネル取付具と係合して前記間仕切りパネルを支持するパネル支持具と、を備え、
前記パネル取付具は、
前記間仕切りパネルの下端面において穿孔された挿入穴内に一端側から挿入される棒状体と、
前記棒状体の中間部分に固定され、前記棒状体と直交し、一方の面が前記間仕切りパネルの下端面と当接し、前記間仕切りパネルの厚さより小さい寸法の幅で形成された平面部と、を有し、
前記棒状体の他端側の外周には、前記棒状体の軸方向と直交する方向に突出する２以上の突起が設けられ、
前記パネル支持具は、前記間仕切りパネルの厚さより小さい寸法の幅で形成され、
前記パネル取付具の前記平面部の他方の面と当接する支持平面部と、
前記支持平面部の左右端において、互いに平行に下方に延出して段差を形成し、略Ｌ字形状に曲げ加工され、前記床スラブに固定される固定部と、を有し、
前記支持平面部は、前記パネル取付具の前記棒状体の外径より大きく、前記パネル取付具の前記突起を含む外径より小さい寸法の内法を有する開口部が形成され、前記開口部周辺が弾性変形可能に形成されるパネル取付金具。
【請求項２】
前記開口部は、一辺の寸法が前記内法の寸法の矩形形状で形成され、
前記支持平面部は、前記開口部周辺において、前記開口部の４辺縁部が下斜め方向に曲げられている請求項１に記載のパネル取付金具。
【請求項３】
請求項１又は２に記載のパネル取付金具によるパネル取付方法であって、
前記間仕切りパネルの前記挿入穴に、前記パネル取付具の前記棒状体を一端側から挿入し、前記平面部の一方の面を前記間仕切りパネルの下端面に当接させるパネル取付具装着工程と、
前記間仕切りパネルに装着された前記パネル取付具の前記棒状体の他端側を、前記床スラブに固定された前記パネル支持具の前記支持平面部の前記開口部の位置に配置する位置決め工程と、
前記間仕切りパネルの自重により、前記開口部に前記棒状体を挿入し、前記棒状体に設けた前記突起により、前記開口部周辺を弾性変形させて前記開口部を下方に押し広げ、前記突起が前記開口部を通過後に、前記開口部周辺が弾性変形前の形状に復帰し、前記パネル取付具を前記パネル支持具に固定させる固定工程と、を含むパネル取付方法。
【発明の詳細な説明】
【技術分野】
【０００１】
本発明は、パネル取付金具及びパネル取付方法に関し、詳しくは、間仕切りパネルを床スラブに固定するためのパネル取付金具及びパネル取付方法に関する。
【背景技術】
【０００２】
従来、軽量気泡コンクリートパネル（以下、ＡＬＣパネルとも言う）、押し出し成型板等のプレキャストパネルは、建築物の内部において、部屋の間仕切りとして用いられている。このようなパネル（以降、間仕切りパネルとも言う）は、床スラブ等の水平面上に、パネル取付金具により固定される。
【０００３】
このようなパネル取付金具として、間仕切りパネル下部小口面の長手方向両側に延びる固定部と、この固定部の中間に挿通部を有する隆起部と挿通用の孔とからなるベース部、間仕切りパネル下部小口面を支持する支持板と、この支持板から上方に突出し、間仕切りパネル下部小口面に設けた固定孔に挿入される支持柱と、支持板の両端において下方へ突出し、ベース部材の挿通部と連通可能な中空部を有する一対の逆段差部とからなるパネル支持部材、およびベース部材の隆起部の挿通部と、パネル支持部材の逆段差部の中空部とに挿入され、ベース部材とパネル支持部材とを連結する固定プレートとから構成されるパネル取付金具が提案されている（特許文献１参照）。
【０００４】
特許文献１のパネル取付金具によれば、まず、ベース部材を床スラブ上に固定し、次いで、パネル下部小口面に設けた固定孔に、パネル支持部材の支持柱を挿入し、このパネル支持部材の逆段差部をベース部材の隆起部に重ねて両者を位置合わせする。その後、ベース部材の隆起部とパネル支持部材の逆段差部との間に連通した挿通部および中空部へ、固定プレートを挿入することにより、ベース部材とパネル支持部材とを連結することで、パネルを床スラブに固定できる。
【先行技術文献】
【特許文献】
【０００５】
【特許文献１】特開２００５−４８４９２号公報
【発明の概要】
【発明が解決しようとする課題】
【０００６】
しかしながら、特許文献１のパネル取付金具は、ベース部材の隆起部と支持部材の逆段差部との間に連通した挿通部及び中空部に固定プレートを挿入することで、間仕切りパネルを床スラブ等に固定する。このとき、施工者は、固定プレートを挿入可能なように、挿通部及び中空部が連通しているか否かを確認する必要がある。ところが、挿通部及び中空部は、床スラブ等と間仕切りパネル下部小口面との間に配置されているため、確認することが困難であり、固定プレートを挿入することは非常に施工効率を落とすこととなっていた。
【０００７】
本発明は、上記課題に鑑みて提案するものであって、間仕切りパネルを床スラブ上に固定する際に、施工効率を向上できるパネル取付金具を提供することを目的とする。
【課題を解決するための手段】
【０００８】
（１）  間仕切りパネルを床スラブに固定するためのパネル取付金具であって、前記間仕切りパネルの下端面に取り付けられるパネル取付具と、前記床スラブに固定され、前記パネル取付具と係合して前記間仕切りパネルを支持するパネル支持具と、を備え、前記パネル取付具は、前記間仕切りパネルの下端面において穿孔された挿入穴内に一端側から挿入される棒状体と、前記棒状体の中間部分に固定され、前記棒状体と直交し、一方の面が前記間仕切りパネルの下端面と当接し、前記間仕切りパネルの厚さより小さい寸法の幅で形成された平面部と、を有し、前記棒状体の他端側の外周には、前記棒状体の軸方向と直交する方向に突出する２以上の突起が設けられ、前記パネル支持具は、前記間仕切りパネルの厚さより小さい寸法の幅で形成され、前記パネル取付具の前記平面部の他方の面と当接する支持平面部と、前記支持平面部の左右端において、互いに平行に下方に延出して段差を形成し、略Ｌ字形状に曲げ加工され、前記床スラブに固定される固定部と、を有し、前記支持平面部は、前記パネル取付具の前記棒状体の外径より大きく、前記パネル取付具の前記突起を含む外径より小さい寸法の内法を有する開口部が形成され、前記開口部周辺が弾性変形可能に形成されるパネル取付金具。
【０００９】
（１）の発明によれば、パネル取付金具は、間仕切りパネルの下端面に取り付るパネル取付具と、床スラブに固定し、パネル取付具と係合させて間仕切りパネルを支持させるパネル支持具と、を備えた。パネル取付具は、間仕切りパネルの下端面において穿孔された挿入穴内に一端側から挿入する棒状体と、棒状体の中間部分に固定し、棒状体と直交し、一方の面が間仕切りパネルの下端面と当接し、間仕切りパネルの厚さより小さい寸法の幅で形成した平面部と、を備えた。そして、棒状体の他端側の外周には、棒状体の軸方向と直交する方向に突出する２以上の突起を設けた。また、パネル支持具は、間仕切りパネルの厚さより小さい寸法の幅で形成した。パネル支持具は、パネル取付具の平面部の他方の面と当接させる支持平面部と、支持平面部の左右端において、互いに平行に下方に延出して段差を形成させ、略Ｌ字形状に曲げ加工し、床スラブに固定する固定部と、を備えた。支持平面部は、パネル取付具の棒状体の外径より大きく、パネル取付具の突起を含む外径より小さい寸法の内法を有する開口部を形成し、開口部周辺を弾性変形可能に形成した。
【００１０】
これにより、間仕切りパネルは、以下の手順で床スラブに固定される。
まず、間仕切りパネルの挿入穴に、パネル取付具の棒状体を一端側から挿入し、平面部の一方の面を間仕切りパネルの下端面に当接させる。
そして、間仕切りパネルに装着されたパネル取付具の棒状体の他端側を、床スラブの所定位置に固定されたパネル支持具の支持平面部の開口部の位置に配置する。この時、パネル取付具の平面部を介してパネルの自重が棒状体に作用している。
次に、例えば、間仕切りパネルを立てていくことで、間仕切りパネルの自重により、開口部に棒状体を挿入し、棒状体に設けた突起により、開口部周辺を弾性変形させて開口部を下方に押し広げ、突起が開口部を通過後に、開口部周辺が弾性変形前の形状に復帰し、パネル取付具がパネル支持具に固定される。この時、パネル取付具の平面部がパネル支持具の支持平面部に当接し、パネルの自重はパネル支持具を介して床スラブに伝達されることになる。
【００１１】
よって、溶接等の別の作業を行うことなく、また、目視しづらい間仕切りパネルと床スラブとの間に配置されるパネル取付金具を確認しなくとも確実に間仕切りパネルを床スラブに固定できる。したがって、間仕切りパネルを床スラブ上に固定する際に、施工効率を向上できるパネル取付金具を提供できる。
また、パネル取付具の平面部及びパネル支持具を、間仕切りパネルの厚さより小さい寸法の幅で形成したので、間仕切りパネルの表裏側にパネル取付金具が露出しないという美観性を有するパネル取付金具を提供できる。
【００１２】
（２）  前記開口部は、一辺の寸法が前記内法の寸法の矩形形状で形成され、前記支持平面部は、前記開口部周辺において、前記開口部の４辺縁部が下斜め方向に曲げられている（１）に記載のパネル取付金具。
【００１３】
（２）の発明によれば、間仕切りパネルを床スラブに固定する手順において、間仕切りパネルに装着されたパネル取付具の棒状体の他端側を、床スラブの所定位置に固定されたパネル支持具の支持平面部の開口部の位置に仮置きする。
そして、この状態で、間仕切りパネルの位置を微調整すると、パネル支持具の開口部周囲にある４辺縁部がガイドの役割となり突起を有する棒状体を開口部へ滑らせ誘導し、棒状体に設けた突起により、４辺縁部を弾性変形させて下方に押し広げ、突起が開口部を通過後に、開口部周辺が弾性変形前の形状に復帰し、パネル取付具がパネル支持具に固定される。
よって、間仕切りパネルの位置合わせが簡易になるので、間仕切りパネルを床スラブ上に固定する際に、施工効率をより向上できるパネル取付金具を提供できる。
【００１４】
（３）  （１）は（２）に記載のパネル取付金具によるパネル取付方法であって、前記間仕切りパネルの前記挿入穴に、前記パネル取付具の前記棒状体を一端側から挿入し、前記平面部の一方の面を前記間仕切りパネルの下端面に当接させるパネル取付具装着工程と、前記間仕切りパネルに装着された前記パネル取付具の前記棒状体の他端側を、前記床スラブに固定された前記パネル支持具の前記支持平面部の前記開口部の位置に配置する位置決め工程と、前記間仕切りパネルの自重により、前記開口部に前記棒状体を挿入し、前記棒状体に設けた前記突起により、前記開口部周辺を弾性変形させて前記開口部を下方に押し広げ、前記突起が前記開口部を通過後に、前記開口部周辺が弾性変形前の形状に復帰し、前記パネル取付具を前記パネル支持具に固定させる固定工程と、を含むパネル取付方法。
（３）の発明によれば、（１）又は（２）の発明と同様の作用効果を奏する。
【発明の効果】
【００１５】
本発明によれば、間仕切りパネルを床スラブ上に固定する際に、施工効率を向上できるパネル取付金具を提供できる。
【図面の簡単な説明】
【００１６】
【図１】本発明の実施形態に係るパネル取付金具の概要を説明する図である。
【図２】前記実施形態に係るパネル取付具の正面図である。
【図３】前記実施形態に係るパネル取付具の底面図である。
【図４】前記実施形態に係るパネル支持具の正面図である。
【図５】前記実施形態に係るパネル支持具の底面図である。
【図６】前記実施形態に係るパネル取付金具により、間仕切りパネルを床スラブに固定する方法を説明する図である。
【図７】前記実施形態に係るパネル取付金具により、間仕切りパネルを床スラブに固定する方法を説明する図である。
【図８】前記実施形態に係るパネル取付金具により、間仕切りパネルを床スラブに固定する方法を説明する図である。
【発明を実施するための形態】
【００１７】
以下に、本発明の実施形態について説明する。
図１は、本発明の実施形態に係るパネル取付金具１の概要を説明する図である。
本発明の実施形態に係るパネル取付金具１は、間仕切りパネル１００を床スラブ２００に固定する金具であり、間仕切りパネル１００の下端面１００ａに取り付けられるパネル取付具１０と、床スラブ２００に固定され、パネル取付具１０と係合して間仕切りパネル１００を支持するパネル支持具２０と、を備える。
本実施形態において、間仕切りパネル１００は、ＡＬＣパネルで構成されるが、ＡＬＣパネルに限らず、押し出し成型板等のプレキャストパネルで構成してもよい。
【００１８】
図２は、前記実施形態に係るパネル取付具１０の正面図である。
図３は、前記実施形態に係るパネル取付具１０の底面図である。
パネル取付具１０は、間仕切りパネル１００の下端面１００ａにおいて穿孔された挿入穴１００ｂ内に上端側から挿入される棒状体１１と、棒状体１１の中間部分下方側に固定され、棒状体１１と直交する平面部１２と、を備える。
【００１９】
棒状体１１は、円柱状体に形成されているが、これに限らず、例えば、四角柱状体に形成してもよい。
棒状体１１において、平面部１２より下端側の外周１１ａには、棒状体１１の軸方向（図２中上下方向）と直交する方向に突出する４つの突起１１０が等間隔で設けられている。なお、突起１１０の数は、４つに限らず、２つ以上の任意の数とすることができる。
【００２０】
平面部１２は、上方の面１２ａが間仕切りパネル１００の下端面１００ａと当接し、下方の面１２ｂがパネル支持具２０（図１参照）と当接し、間仕切りパネル１００の厚さｄ（例えば、１００ｍｍ）より小さい寸法であり、厚さｄの半分より大きい寸法の幅（例えば、８０ｍｍ）で形成されている。
【００２１】
図４は、前記実施形態に係るパネル支持具２０の正面図である。
図５は、前記実施形態に係るパネル支持具２０の底面図である。
パネル支持具２０は、間仕切りパネル１００の厚さｄ（例えば、１００ｍｍ）より小さい寸法であり、厚さｄの半分より大きい寸法の幅（例えば、８０ｍｍ）で形成されている。
パネル支持具２０は、パネル取付具１０の平面部１２の下方の面１２ｂ（図２参照）と当接する支持平面部２１と、支持平面部２１の左右端において、互いに平行に下方に延出する固定部２２と、を備える。
【００２２】
支持平面部２１には、パネル取付具１０の棒状体１１の外径ｒより大きく、パネル取付具１０の突起１１０を含む外径Ｒより小さい寸法の内法Ｗを有する開口部２１０が形成されている。
【００２３】
開口部２１０は、一辺の寸法が内法Ｗの寸法の正方形形状で形成されている。なお、開口部２１０の形状は、正方形形状に限らず、例えば、少なくとも一方向の一辺の寸法が内法Ｗの寸法で形成された長方形形状や、直径の寸法が内法Ｗの寸法で形成された円形形状で形成してもよい。
【００２４】
支持平面部２１は、開口部２１０周辺において、開口部２１０の４辺縁部２１１が弾性変形可能に形成され、下斜め方向に曲げられている。
【００２５】
固定部２２は、立設部略Ｌ字形状に曲げ加工され、支持平面部２１の左右端から下方に延出し、床スラブと支持平面部２１との間に段差Ｄを形成する立設部２２１と、立設部２２１の下端から水平方向に延出し、床スラブ２００に固定される水平部２２２と、を備える。
【００２６】
立設部２２１は、段差Ｄが、棒状体１１の平面部１２（図２参照）から下端までの寸法より大きくなるように形成されている。
水平部２２２には、打鋲ピンが挿通する孔２２２ａが形成されている。パネル支持具２０は、打鋲ピンが孔２２２ａを挿通し床スラブ２００に打ち込まれることで、床スラブ２００に固定される。
【００２７】
次に、パネル取付金具１によるパネル取付方法について説明する。
図６、図７及び図８は、前記実施形態に係るパネル取付金具１により、間仕切りパネル１００を床スラブ２００に固定する方法を説明する図である。
まず、施工者は、床スラブ２００上に間仕切りパネル１００の壁芯を墨出しする。そして、この壁芯を基準に、間仕切りパネル１００の幅方向及び厚さ方向の中心となる所定位置にパネル支持具２０を打鋲ピンにより床スラブ２００に固定する。また、施工者は、間仕切りパネル１００の挿入穴１００ｂに、パネル取付具１０の棒状体１１を上端側から挿入し、平面部１２の上方の面１２ａを間仕切りパネル１００の下端面１００ａに当接させ、間仕切りパネル１００にパネル取付具１０を固定する。
そして、図６に示すように、施工者は、間仕切りパネル１００に装着されたパネル取付具１０の棒状体１１の下端側を、床スラブ２００の所定位置に固定されたパネル支持具２０の支持平面部２１の開口部２１０の位置に仮置きする。
【００２８】
次に、図７に示すように、施工者は、間仕切りパネル１００の位置を微調整すると、パネル支持具２０の開口部２１０の周囲にある４辺縁部２１１がガイドの役割となり突起１１０を有する棒状体１１を開口部へ滑らせ誘導し、棒状体１１に設けた突起１１０により、４辺縁部２１１を弾性変形させて下方に押し広げる。図７中の点線で示す４辺縁部２１１は、弾性変形前の状態を示す。
【００２９】
そして、図８に示すように、パネル支持具２０の４辺縁部２１１は、突起１１０が開口部２１０を通過後に、弾性変形前の形状に復帰し、パネル取付具１０がパネル支持具に固定される。これにより、間仕切りパネル１００は、床スラブ２００に固定される。
【００３０】
よって、パネル取付金具１によれば、溶接等の別の作業を行うことなく、また、目視しづらい間仕切りパネル１００と床スラブ２００との間に配置されるパネル取付金具１を確認しなくとも確実に間仕切りパネル１００を床スラブ２００に固定できる。
また、棒状体１１のガイドとなる４辺縁部２１１を備えたので、間仕切りパネルの位置合わせが簡易になる。
したがって、間仕切りパネルを床スラブ上に固定する際に、施工効率を向上できるパネル取付金具を提供できる。
【００３１】
また、パネル取付具１０の平面部１２及びパネル支持具２０を、間仕切りパネル１００の厚さより小さい寸法の幅で形成したので、間仕切りパネル１００の表裏側にパネル取付金具１が露出しないという美観性を有するパネル取付金具を提供できる。
【産業上の利用可能性】
【００３２】
本発明は、例えば、間仕切りパネルを床スラブに固定するためのパネル取付金具及びパネル取付方法に利用することができる。
【符号の説明】
【００３３】
１      パネル取付金具
１０    パネル取付具
１１    棒状体
１１ａ  外周
１１０    突起
１２    平面部
１２ａ    上方の面
１２ｂ    下方の面
２０    パネル支持具
２１    支持平面部
２１０  開口部
２２    固定部
１００  間仕切りパネル
１００ａ  下端面
１００ｂ  挿入穴
２００    床スラブ
【図１】
2014043687.tif 000003
【図２】
2014043687.tif 000004
【図３】
2014043687.tif 000005
【図４】
2014043687.tif 000006
【図５】
2014043687.tif 000007
【図６】
2014043687.tif 000008
【図７】
2014043687.tif 000009
【図８】
2014043687.tif 000010